(57)【要約】【課題】撮影レンズの着脱が可能で、樹脂材料で構成されているカメラマウントを持つカメラにおいて、撮影レンズの装着が渋くなることなく、撮影レンズのスムーズな装着動作を可能にしたカメラを提供すること。【解決手段】撮影レンズの着脱が可能なカメラ（１００）に設けられたカメラマウント（１０）であって、前記カメラマウント（１０）は樹脂材料で構成され、前記カメラマウント（１０）の前記撮影レンズとの嵌合部（１０ｚ）は複数箇所に凸で形成され、前記嵌合部（１０ｚ）は前記カメラマウント（１０）を固定するビス固定部（１０ａ、１０ｂ、１０ｃ、１０ｄ、１０ｅ、１０ｆ）を避けた位置に配置されることを特徴とする。【選択図】図１
2018189669.tif 000002
【特許請求の範囲】
【請求項１】
撮影レンズの着脱が可能なカメラに設けられたカメラマウントであって、前記カメラマウントは樹脂材料で構成され、前記カメラマウントの前記撮影レンズとの嵌合部は複数箇所に凸で形成され、前記嵌合部は前記カメラマウントを固定するビス固定部を避けた位置に配置されることを特徴とするカメラ。
【請求項２】
カメラマウントはマウント固定部材の上下の少なくとも一方はビス固定していることを特徴とする請求項１に記載のカメラ。
【請求項３】
前記カメラマウントの前記撮影レンズとの嵌合部は三箇所以上で構成されていることを特徴とする請求項１又は請求項２に記載のカメラ。
【請求項４】
前記カメラマウントの前記撮影レンズとの嵌合部の少なくとも一箇所は、光軸中心と同じ高さの左右のいずれかに配置することを特徴とする請求項１乃至請求項３の何れか一項に記載のカメラ。
【請求項５】
前記マウント部材の前記撮影レンズとの嵌合部は光軸中心から等角度で配置されていることを特徴とする請求項１乃至請求項４の何れか一項に記載のカメラ。
【請求項６】
前記カメラと前記撮影レンズとが、バヨネット式のマウント機構を構成することを特徴とする請求項１乃至請求項５の何れか一項に記載のカメラ。
【発明の詳細な説明】
【技術分野】
【０００１】
本発明は、レンズ取り付けマウントを持つレンズ交換式カメラに関し、特に樹脂材料で構成されたカメラマウントを持つカメラに関する。
【背景技術】
【０００２】
撮影レンズが交換可能なレンズ交換式カメラのレンズ着脱機構として、バヨネット方式
のマウントが提案されている。以下では、カメラに設けられたバヨネット方式のマウント部材を、カメラマウントと記述する。
【０００３】
従来レンズ交換式カメラのカメラマウントは、耐久性や信頼性、精度等を考慮して金属材料で構成されているが、金属材料で構成されているカメラマウントは重量が重いことや部品コストが高くなるという課題があった。
【０００４】
昨今、エンジニアリングプラスチックの耐久性及び信頼性の向上及び成形技術の進歩によって、プラスチック等の樹脂材料で構成されたカメラマウントを有するカメラボディが製品化されている。カメラマウントが樹脂材料になることで軽量化や部品コスト抑制が可能となる。特許文献１は、樹脂で構成されたカメラマウントを開示している。
【先行技術文献】
【特許文献】
【０００５】
【特許文献１】特開平１１−６４７０１号公報
【発明の概要】
【発明が解決しようとする課題】
【０００６】
しかし、特許文献１が開示しているカメラマウントは樹脂材料で形成されているがゆえに、金属で構成されたカメラマウントに比べると、マウント個体の強度が劣るという問題がある。例えばカメラマウントをビスなどで固定しているマウント固定部材は、カメラマウントと比較すると形状が箱形状をしており剛性が高いため、マウント固定部材が変形した場合、カメラマウントはマウント固定部材の変形形状に追従してしまう。
【０００７】
従来マウント固定部材の上下には光学ファインダーユニット、ＡＦユニットをそれぞれ構成している関係上、マウント固定部材の上下は開口穴が形成されている。この開口穴により開口穴付近の強度は低下することで、温度環境の変化による膨張・収縮の影響を開口穴付近は受けやすくなる。例えば温度環境が低温下の場合、マウント固定部材の開口穴がある上下は内側に反るように収縮変形が起こる。
【０００８】
マウント固定部材の上下が内側に反るように収縮変形することで、カメラマウントはマウント固定部材の変形に引っ張られ、カメラマウントの内周部が楕円形状に変形し内径が小さくなることで撮影レンズとの装着感が渋くなってしまう。また樹脂材料で構成されたカメラマウントをマウント固定部材に対しビス締めした際、カメラマウントのビス固定部がカメラマウントの内径を小さくする方向に変形し、撮影レンズの装着感が渋くなることがある。
【０００９】
そこで、本発明の目的は、撮影レンズの着脱が可能で、樹脂材料で構成されているカメラマウントを持つカメラにおいて、撮影レンズの装着が渋くなることなく、撮影レンズのスムーズな装着動作を可能にしたカメラを提供することにある。
【課題を解決するための手段】
【００１０】
上記の目的を達成するために、本発明に係るカメラは、
撮影レンズの着脱が可能なカメラに設けられたカメラマウントであって、前記カメラマウントは樹脂材料で構成され、前記カメラマウントの前記撮影レンズとの嵌合部は複数箇所に凸で形成され、前記嵌合部は前記カメラマウントを固定するビス固定部を避けた位置に配置されることを特徴とする。
【発明の効果】
【００１１】
本発明によれば、撮影レンズの着脱が可能で、樹脂材料で構成されているカメラマウントを持つカメラにおいて、撮影レンズの装着が渋くなることなく、撮影レンズのスムーズな装着動作を可能にしたカメラを提供することができる。
【図面の簡単な説明】
【００１２】
【図１】本発明の実施形態にかかわるカメラ１００の外観正面図である。
【図２（ａ）】本発明の実施形態にかかわるマウント固定部材１１を底面側から見た斜視図である。
【図２（ｂ）】本発明の実施形態にかかわるマウント固定部材１１を上面側から見た斜視図である。
【図３】本発明の実施形態にかかわる低温下でのマウント固定部材１１の収縮変形方向を示す図である。
【図４】本発明の実施形態にかかわるカメラマウント１０の一部を拡大すること表す外観斜視図である。
【図５（ａ）】従来の金属材料で構成されたカメラマウント１０´の図４Ａ部拡大図である。
【図５（ｂ）】本発明の実施形態にかかわる樹脂材料で構成されたカメラマウント１０の図４Ａ部拡大図である。
【図６（ａ）】本発明の実施形態にかかわるカメラマウント１０に３箇所配置している嵌合部１０ｚの位置を示す図である。
【図６（ｂ）】本発明の実施形態にかかわるカメラマウント１０に６箇所配置している嵌合部１０ｚの位置を示す図である。
【発明を実施するための形態】
【００１３】
以下に、本発明の好ましい実施の形態を、添付の図面に基づいて詳細に説明する。
【００１４】
図１は本発明の実施形態にかかわるカメラ１００の外観正面図である。
【００１５】
図１において、１００はカメラ、１０はカメラマウント、１１はマウント固定部材である。カメラマウント１０は、複数のビス固定部１０ａ、１０ｂ、１０ｃ、１０ｄ、１０ｅ、１０ｆによりマウント固定部材１１に固定されている。従来、カメラマウント１０が高剛性の金属材料で構成されている場合、ビス固定部は１０ａ、１０ｂ、１０ｃ、１０ｄの４箇所をマウント固定部材１１に対して固定していた。
【００１６】
本発明のカメラマウント１０は樹脂材料で構成されているため、金属材料よりもカメラマウント１０個体の強度や剛性が低下してしまう。強度や剛性の低下による弊害として、撮影レンズをカメラマウント１０に取り付けた時の撮影レンズの重みによるカメラマウント１０のたわみが挙げられる。図１のカメラ姿勢において、重量の重い撮影レンズを取り付けた場合、カメラマウント１０のカメラマウント爪１０ｉに負荷が掛かり、１０ｅ付近のたわみが大きくなってしまう。このカメラマウント１０のたわみを抑制するために本発明の実施形態ではビス固定部１０ｅ、１０ｆの２箇所を追加している。
【００１７】
カメラマウント１０の表面には、撮影レンズに設けられるレンズマウントの基準面と対向するカメラマウント面１０ｇ、１０ｈを有する。このカメラマウント面１０ｇ、１０ｈにフランジバックを規定する基準面が形成されている。
【００１８】
カメラマウント１０の内周部には、３箇所のカメラマウント爪１０ｉ、１０ｊ、１０ｋが形成されている。撮影レンズの装着は、撮影レンズの指標位置をカメラマウントの対応するレンズ取り付け指標と合わせてレンズマウントをカメラマウント１０に挿入し、撮影レンズのマウントの基準面とカメラマウントの基準面を当接させ、レンズを所定角度回転させることで行う。
【００１９】
カメラマウント１０には撮影レンズを装着した際に回転動作を規制するためのレンズロックピン１３が配置されている。レンズ装着状態において、レンズロックピン１３は、レンズマウントの所定位置に形成されたロック穴に係合してレンズの回転を規制し、カメラマウント爪１０ｉ、１０ｊ、１０ｋは撮影レンズのレンズマウントの対応する爪部と係合する。
【００２０】
カメラマウント爪１０ｉ、１０ｊ、１０ｋの裏側には、バネ部材が配置されており、係合したレンズマウントの爪部を引き込み、撮影レンズのマウントの基準面とカメラマウントの基準面との当接を保持する。
【００２１】
レンズを取り外す際には、カメラのレンズロック解除釦１４を押下することにより、レンズロックピン１３をカメラマウント面１０ｇ、１０ｈより退避させ、レンズ装着時と反対方向に所定角度レンズを回転させることにより行う。
【００２２】
またカメラ１００は不図示のアクチュエータにより回動されるミラーユニット２０を備えており、ミラーユニット２０はマウント固定部材１１に組み込まれている。
【００２３】
図２（ａ）は本発明の実施形態にかかわるマウント固定部材１１を底面側から見た斜視図、図２（ｂ）は本発明の実施形態にかかわるマウント固定部材１１を上面側から見た斜視図である。
【００２４】
図２（ａ）において、マウント固定部材１１の上側には不図示の光学ファインダーユニットを配置するために上側開口穴１１ｕが形成されている。また図２（ｂ）において、マウント固定部材１１の下側においても不図示のＡＦユニットを配置するために下側開口穴１１ｂが形成されている。このようにミラーユニット２０を備えるカメラ１００においては、光学ファインダー及びＡＦユニットへの光路確保のためにマウント固定部材１１の略上下に開口穴が形成されている。この開口穴により開口穴付近の強度は低下することで、温度環境の変化による膨張・収縮の影響を開口穴付近は受けやすくなる。
【００２５】
図３は本発明の実施形態にかかわる低温下でのマウント固定部材１１の収縮変形方向を示す図である。
【００２６】
樹脂材料、金属材料においても温度環境の変化があれば材料の膨張・収縮が起こり、低温下において材料は収縮する。本実施形態のマウント固定部材１１は樹脂材料を採用しているが、マウント固定部材１１の略上下に１１ｕ、１１ｂの開口穴を形成していることで左壁１１Ｌや右壁１１Ｒに比べて強度が低下するため、低温下において上下収縮が起こりやすい。図３のＵ１、Ｂ１は低温下でのマウント固定部材１１の収縮変形方向を示している。カメラマウント１０が樹脂材料で構成されている場合、材料強度が金属よりも弱くなることやビス固定部１０ｅ、１０ｆをマウントたわみ抑制のために追加配置していることからマウント固定部材１１の収縮変形方向Ｕ１、Ｂ１にカメラマウント１０が追従してしまう。するとカメラマウント１０は楕円形状に変形し、その変形によりカメラマウント１０の内径が小さくなるため、撮影レンズの装着感が渋くなるという事象が生じてしまう。
【００２７】
図４はカメラマウント１０の一部を拡大すること表す外観斜視図である。図５（ａ）は従来の金属材料で構成されたカメラマウント１０´の図４Ａ部の拡大図、図５（ｂ）は本発明の実施形態にかかわる樹脂材料で構成されたカメラマウント１０の図４Ａ部の拡大図である。
【００２８】
図５（ａ）において従来の金属材料で構成されているカメラマウント１０´の内径にある嵌合部１０ｚ´は斜線部のように連続的な円形状で構成されており、撮影レンズを装着した際にレンズマウントと嵌合する関係にある。これに対し、図５（ｂ）において本実施形態で示す樹脂材料で構成されているカメラマウント１０の内径にある嵌合部１０ｚは、斜線部のように連続的な円形状でなく部分的に限定した形状で構成している。また嵌合部１０ｚ以外の箇所は逃げ部１０ｆのように撮影レンズのレンズマウントと嵌合せず、接触しないように形状を逃がしている。
【００２９】
図６（ａ）は本発明の実施形態にかかわるカメラマウント１０に３箇所配置している嵌合部１０ｚの位置を示す図、本発明の実施形態にかかわるカメラマウント１０に６箇所配置している嵌合部１０ｚの位置を示す図である。
【００３０】
嵌合部１０ｚが３箇所のカメラマウント１０を示す図６（ａ）において、嵌合部１０ｚはビス固定部１０ａと１０ｅ、１０ｂと１０ｆ、１０ｃと１０ｄの間に配置している。図６（ｂ）においても嵌合部１０ｚはビス座面１０ａ、１０ｂ、１０ｃ、１０ｄ、１０ｅ、１０ｆのそれぞれの間に配置している。ビス固定部１０ａ〜１０ｆを避けて嵌合部１０ｚを配置しているのは、カメラマウント１０をマウント固定部材１１にビス固定した際にビス固定部１０ａ〜１０ｆが潰れて生じるマウント内径方向への変形の影響を受けないようにするためである。こうすることで、ビス固定の締め付けトルクが高く、より変形に対し不利な条件になっても、ビス固定部１０ａ〜１０ｆに対応する位置には撮影レンズのレンズマウントとの嵌合部が配置されていないため、撮影レンズ装着動作をスムーズに行うことができる。また嵌合部１０ｚは、撮影レンズを装着した際、円形状で構成されている撮影レンズのレンズマウントと位置が決まるよう、三箇所以上配置するようにしている。そして嵌合部１０ｚは、図３で示したカメラマウント１０の低温下での収縮変形の影響を受けにくくするためにカメラマウント１０の略上下への配置は避け、光学中心Ｚ１と同一上の左右方向に少なくとも一箇所は配置するようにしている。また嵌合部１０ｚは、撮影レンズ装着時にカメラマウント１０の光軸中心Ｚ１に対する撮影レンズの位置の偏りを抑えるため、光学中心Ｚ１から等角度の位置に配置するようにしている。
【００３１】
更に図６ａや図６ｂのように嵌合部１０ｚを部分的に限定した形状で形成することで、従来は部品寸法の追い込みを連続的な円形状で行わなければならないのに対し、部分的な形状の追い込みで済むので部品寸法の追い込みが容易になる。
【００３２】
このように、樹脂材料で構成されたカメラマウント１０を有するカメラ１００において、ビス固定部１０ａ、１０ｂ、１０ｃ、１０ｄ、１０ｅ、１０ｆを避けた位置に嵌合部１０ｚを設けることで、撮影レンズ交換の際の着脱動作が重くなることがなくなる。これによりスムーズに装着動作が可能なカメラを提供することができる。
【００３３】
以上、本発明の好ましい実施形態について説明したが、本発明はこれらの実施形態に限定されず、その要旨の範囲内で種々の変形及び変更が可能である。
【符号の説明】
【００３４】
１０  マウント部材、
１０ａ，１０ｂ，１０ｃ，１０ｄ，１０ｅ，１０ｆ  ビス固定部、
１０ｚ  嵌合部、１００  カメラ
【図１】
2018189669.tif 000003
【図２（ａ）】
2018189669.tif 000004
【図２（ｂ）】
2018189669.tif 000005
【図３】
2018189669.tif 000006
【図４】
2018189669.tif 000007
【図５（ａ）】
2018189669.tif 000008
【図５（ｂ）】
2018189669.tif 000009
【図６（ａ）】
2018189669.tif 000010
【図６（ｂ）】
2018189669.tif 000011